(57)【要約】【課題】利用後間もない状態であること（高温であること）を知らないユーザが筐体に触れてしまった場合でも、ユーザに与える不快感を低減することが可能なプロジェクタ、及びその制御方法を提供する。【解決手段】ユーザによりオフ操作がなされると、プロジェクタ１は、前方脚部４が突出した状態であるか否かを検知するとともに、入力端子２４ａにケーブル４０が接続されている状態であるか否かを検知する。そして、前方脚部４が収納された状態で、且つケーブル４０が離脱した状態である場合には、クールダウンを比較的短時間で終了させる。このため、ユーザは、即座に片付けを行うことができる。一方、前方脚部４が突出した状態、及びケーブル４０が接続されている状態の少なくとも一方が検知された場合には、プロジェクタ１は、クールダウンを比較的長時間行う。【選択図】図１
2009282425.tif 000002
【特許請求の範囲】
【請求項１】
外部の画像供給装置から接続部材を介して画像信号が入力される画像信号入力部と、
光源から射出された光を前記画像信号に応じて変調して画像を形成し、当該画像を投写する画像投写部と、
前記光源の消灯を指示するオフ操作を受け付ける入力操作部と、
前記入力操作部が前記オフ操作を受け付けた場合に、前記光源を消灯させる光源制御部と、
前記画像投写部を含む装置本体が収容される筐体と、
前記筐体の内部を冷却する冷却部と、
前記光源が点灯しているときに前記冷却部による冷却を制御するとともに、前記光源が消灯した後も前記冷却を暫時継続させる冷却制御部と、
前記入力操作部が前記オフ操作を受け付けた場合に、前記画像信号入力部に前記接続部材が接続されているか否かを検知する接続検知部と、
を備え、
前記冷却制御部は、前記接続検知部の検知結果に基づき、前記接続部材が接続されている場合には、接続されていない場合に比べて、前記光源が消灯した後の冷却時間を長くすることを特徴とするプロジェクタ。
【請求項２】
光源から射出された光を画像信号に応じて変調して画像を形成し、当該画像を投写する画像投写部と、
前記光源の消灯を指示するオフ操作を受け付ける入力操作部と、
前記入力操作部が前記オフ操作を受け付けた場合に、前記光源を消灯させる光源制御部と、
前記画像投写部を含む装置本体が収容される筐体と、
前記筐体の内部を冷却する冷却部と、
前記光源が点灯しているときに前記冷却部による冷却を制御するとともに、前記光源が消灯した後も前記冷却を暫時継続させる冷却制御部と、
前記筐体を傾斜させるべく、前記筐体の底面側に突出可能に備えられた投写方向調整部と、
前記入力操作部が前記オフ操作を受け付けた場合に、前記投写方向調整部が突出しているか否かを検知する突出検知部と、
を備え、
前記冷却制御部は、前記突出検知部の検知結果に基づき、前記投写方向調整部が突出している場合には、前記投写方向調整部が突出していない場合に比べて、前記光源が消灯した後の冷却時間を長くすることを特徴とするプロジェクタ。
【請求項３】
外部の画像供給装置から接続部材を介して画像信号が入力される画像信号入力部と、
光源から射出された光を前記画像信号に応じて変調して画像を形成し、当該画像を投写する画像投写部と、
前記光源の消灯を指示するオフ操作を受け付ける入力操作部と、
前記入力操作部が前記オフ操作を受け付けた場合に、前記光源を消灯させる光源制御部と、
前記画像投写部を含む装置本体が収容される筐体と、
前記筐体の内部を冷却する冷却部と、
前記光源が点灯しているときに前記冷却部による冷却を制御するとともに、前記光源が消灯した後も前記冷却を暫時継続させる冷却制御部と、
前記筐体を傾斜させるべく、前記筐体の底面側に突出可能に備えられた投写方向調整部と、
前記入力操作部が前記オフ操作を受け付けた場合に、前記投写方向調整部が突出しているか否かを検知する突出検知部と、
前記入力操作部が前記オフ操作を受け付けた場合に、前記画像信号入力部に前記接続部材が接続されているか否かを検知する接続検知部と、
を備え、
前記冷却制御部は、前記突出検知部及び前記接続検知部によって、前記投写方向調整部が突出していること、及び前記接続部材が接続されていることの少なくとも一方が検知された場合には、双方とも検知されない場合に比べて、前記光源が消灯した後の冷却時間を長くすることを特徴とするプロジェクタ。
【請求項４】
外部の画像供給装置から接続部材を介して画像信号が入力される画像信号入力部と、光源から射出された光を前記画像信号に応じて変調して画像を形成し、当該画像を投写する画像投写部と、前記画像投写部を含む装置本体が収容される筐体と、前記光源が点灯しているときに前記筐体の内部を冷却する冷却部と、を備えたプロジェクタの制御方法であって、
前記光源の消灯を指示するオフ操作を受け付けるオフ操作ステップと、
前記オフ操作ステップの後で、前記光源を消灯させる光源消灯ステップと、
前記オフ操作ステップの後で、前記画像信号入力部に前記接続部材が接続されているか否かを検知する接続検知ステップと、
前記光源消灯ステップの後で、前記冷却部による冷却を暫時継続するクールダウンステップと、
を備え、
前記クールダウンステップでは、前記接続検知ステップでの検知結果に基づき、前記画像信号入力部に前記接続部材が接続されている場合には、前記接続部材が接続されていない場合に比べて前記光源が消灯した後の冷却時間を長くすることを特徴とするプロジェクタの制御方法。
【請求項５】
光源から射出された光を画像信号に応じて変調して画像を形成し、当該画像を投写する画像投写部と、前記画像投写部を含む装置本体が収容される筐体と、前記光源が点灯しているときに前記筐体の内部を冷却する冷却部と、前記筐体を傾斜させるべく、前記筐体の底面側に突出可能に備えられた投写方向調整部と、を備えたプロジェクタの制御方法であって、
前記光源の消灯を指示するオフ操作を受け付けるオフ操作ステップと、
前記オフ操作ステップの後で、前記光源を消灯させる光源消灯ステップと、
前記オフ操作ステップの後で、前記投写方向調整部が突出しているか否かを検知する突出検知ステップと、
前記光源消灯ステップの後で、前記冷却部による冷却を暫時継続するクールダウンステップと、
を備え、
前記クールダウンステップでは、前記突出検知ステップでの検知結果に基づき、前記投写方向調整部が突出している場合には、突出していない場合に比べて前記光源が消灯した後の冷却時間を長くすることを特徴とするプロジェクタの制御方法。
【請求項６】
外部の画像供給装置から接続部材を介して画像信号が入力される画像信号入力部と、光源から射出された光を前記画像信号に応じて変調して画像を形成し、当該画像を投写する画像投写部と、前記画像投写部を含む装置本体が収容される筐体と、前記光源が点灯しているときに前記筐体の内部を冷却する冷却部と、前記筐体を傾斜させるべく、前記筐体の底面側に突出可能に備えられた投写方向調整部と、を備えたプロジェクタの制御方法であって、
前記光源の消灯を指示するオフ操作を受け付けるオフ操作ステップと、
前記オフ操作ステップの後で、前記光源を消灯させる光源消灯ステップと、
前記オフ操作ステップの後で、前記投写方向調整部が突出しているか否かを検知する突出検知ステップと、
前記オフ操作ステップの後で、前記画像信号入力部に前記接続部材が接続されているか否かを検知する接続検知ステップと、
前記光源消灯ステップの後で、前記冷却部による冷却を暫時継続するクールダウンステップと、
を備え、
前記クールダウンステップでは、前記突出検知ステップ及び前記接続検知ステップにおいて、前記投写方向調整部が突出していること、及び前記接続部材が接続されていることの少なくとも一方が検知された場合には、双方とも検知されない場合に比べて、前記光源が消灯した後の冷却時間を長くすることを特徴とするプロジェクタの制御方法。
【発明の詳細な説明】
【技術分野】
【０００１】
本発明は、プロジェクタ及びその制御方法に関する。
【背景技術】
【０００２】
光源から射出された光を変調して画像を形成し、この画像をスクリーン等に投写するプロジェクタの多くは、光源の点灯等に伴って高温となる筐体の内部を冷却するための冷却装置（冷却ファン等）を備えている。この冷却装置は、光源を消灯させた後もしばらくの間冷却を継続するようになっており、高温のまま放置された場合に生じ得る各種構成部品の劣化を抑制している（特許文献１参照）。なお、光源が消灯した後の冷却は、「クールダウン」等と呼ばれる。
【０００３】
近年、プロジェクタの各種構成部品の耐久性（耐熱性）を向上させること等により、クールダウンに要する時間を短縮させたプロジェクタが注目されている。このようなプロジェクタを用いれば、利用後すぐに商用電源を遮断して片付けることが可能となるため、ユーザの利便性が向上する。
【０００４】
【特許文献１】特開２００５−１７５８３号公報
【発明の開示】
【発明が解決しようとする課題】
【０００５】
ところが、クールダウンの時間を短縮させたプロジェクタでは、利用中に高温となった筐体の一部が、クールダウンの完了後においても比較的高温のままになっている場合がある。このような場合であっても、それまでこのプロジェクタを利用していたユーザ自身が片付け等を行う際には、ユーザは、高温になっていることを承知しているため、注意しながら取り扱うことが可能である。しかしながら、会議室等に常設されたプロジェクタを利用して会議を行った後に、次の会議の出席者がプロジェクタの準備を行う場合のように、高温であることを知らないユーザが筐体に触れてしまった場合には、ユーザに不快感を与えてしまう恐れがある。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、外部の画像供給装置から接続部材を介して画像信号が入力される画像信号入力部と、光源から射出された光を前記画像信号に応じて変調して画像を形成し、当該画像を投写する画像投写部と、前記光源の消灯を指示するオフ操作を受け付ける入力操作部と、前記入力操作部が前記オフ操作を受け付けた場合に、前記光源を消灯させる光源制御部と、前記画像投写部を含む装置本体が収容される筐体と、前記筐体の内部を冷却する冷却部と、前記光源が点灯しているときに前記冷却部による冷却を制御するとともに、前記光源が消灯した後も前記冷却を暫時継続させる冷却制御部と、前記入力操作部が前記オフ操作を受け付けた場合に、前記画像信号入力部に前記接続部材が接続されているか否かを検知する接続検知部と、を備え、前記冷却制御部は、前記接続検知部の検知結果に基づき、前記接続部材が接続されている場合には、接続されていない場合に比べて、前記光源が消灯した後の冷却時間を長くすることを特徴とする。
【０００８】
このプロジェクタによれば、入力操作部がオフ操作を受け付けた場合に、接続検知部が、画像信号入力部に接続部材が接続されているか否かを検知する。そして、冷却制御部は、接続検知部の検知結果に基づき、接続部材が接続されている場合には、接続されていない場合に比べて光源が消灯した後の冷却時間（クールダウン時間）を長くする。ここで、オフ操作時に接続部材が接続されていない場合とは、ユーザがプロジェクタを片付けようとして接続部材を離脱させた状況であると想定できる。また、接続部材が接続されている場合とは、プロジェクタがすぐに片付けられることはなく、引き続き他のユーザによって利用され得る状況であると想定できる。つまり、プロジェクタをすぐに片付けようとする場合には、クールダウン時間が短いため、作業（片付け）を短時間で終わらせることが可能になる一方、プロジェクタを引き続き利用する場合には、クールダウン時間が長くなるためプロジェクタを十分に冷却することが可能になる。このため、プロジェクタが利用後間もない状態であること（高温であること）を知らないユーザがプロジェクタに触れてしまった場合でも、ユーザに与える不快感を低減することが可能となる。
【０００９】
［適用例２］本適用例に係るプロジェクタは、光源から射出された光を画像信号に応じて変調して画像を形成し、当該画像を投写する画像投写部と、前記光源の消灯を指示するオフ操作を受け付ける入力操作部と、前記入力操作部が前記オフ操作を受け付けた場合に、前記光源を消灯させる光源制御部と、前記画像投写部を含む装置本体が収容される筐体と、前記筐体の内部を冷却する冷却部と、前記光源が点灯しているときに前記冷却部による冷却を制御するとともに、前記光源が消灯した後も前記冷却を暫時継続させる冷却制御部と、前記筐体を傾斜させるべく、前記筐体の底面側に突出可能に備えられた投写方向調整部と、前記入力操作部が前記オフ操作を受け付けた場合に、前記投写方向調整部が突出しているか否かを検知する突出検知部と、を備え、前記冷却制御部は、前記突出検知部の検知結果に基づき、前記投写方向調整部が突出している場合には、前記投写方向調整部が突出していない場合に比べて、前記光源が消灯した後の冷却時間を長くすることを特徴とする。
【００１０】
このプロジェクタによれば、入力操作部がオフ操作を受け付けた場合に、突出検知部が、投写方向調整部が突出しているか否かを検知する。そして、冷却制御部は、突出検知部の検知結果に基づき、投写方向調整部が突出している場合には、突出していない場合に比べて光源が消灯した後の冷却時間（クールダウン時間）を長くする。ここで、オフ操作時に投写方向調整部が突出していない場合とは、ユーザがプロジェクタを片付けようとして投写方向調整部の突出を元に戻した状況であると想定できる。また、投写方向調整部が突出している場合とは、プロジェクタがすぐに片付けられることはなく、引き続き他のユーザによって利用され得る状況であると想定できる。つまり、プロジェクタをすぐに片付けようとする場合には、クールダウン時間が短いため、作業（片付け）を短時間で終わらせることが可能になる一方、プロジェクタを引き続き利用する場合には、クールダウン時間が長くなるためプロジェクタを十分に冷却することが可能になる。このため、プロジェクタが利用後間もない状態であること（高温であること）を知らないユーザがプロジェクタに触れてしまった場合でも、ユーザに与える不快感を低減することが可能となる。
【００１１】
［適用例３］本適用例に係るプロジェクタは、外部の画像供給装置から接続部材を介して画像信号が入力される画像信号入力部と、光源から射出された光を前記画像信号に応じて変調して画像を形成し、当該画像を投写する画像投写部と、前記光源の消灯を指示するオフ操作を受け付ける入力操作部と、前記入力操作部が前記オフ操作を受け付けた場合に、前記光源を消灯させる光源制御部と、前記画像投写部を含む装置本体が収容される筐体と、前記筐体の内部を冷却する冷却部と、前記光源が点灯しているときに前記冷却部による冷却を制御するとともに、前記光源が消灯した後も前記冷却を暫時継続させる冷却制御部と、前記筐体を傾斜させるべく、前記筐体の底面側に突出可能に備えられた投写方向調整部と、前記入力操作部が前記オフ操作を受け付けた場合に、前記投写方向調整部が突出しているか否かを検知する突出検知部と、前記入力操作部が前記オフ操作を受け付けた場合に、前記画像信号入力部に前記接続部材が接続されているか否かを検知する接続検知部と、を備え、前記冷却制御部は、前記突出検知部及び前記接続検知部によって、前記投写方向調整部が突出していること、及び前記接続部材が接続されていることの少なくとも一方が検知された場合には、双方とも検知されない場合に比べて、前記光源が消灯した後の冷却時間を長くすることを特徴とする。
【００１２】
このプロジェクタによれば、入力操作部がオフ操作を受け付けた場合に、突出検知部が、投写方向調整部が突出しているか否かを検知し、接続検知部が、画像信号入力部に接続部材が接続されているか否かを検知する。そして、冷却制御部は、投写方向調整部が突出していること、及び接続部材が接続されていることの少なくとも一方が検知された場合には、双方とも検知されない場合に比べて、光源が消灯した後の冷却時間（クールダウン時間）を長くする。ここで、オフ操作時に投写方向調整部が突出しておらず、且つ接続部材が接続されていない場合とは、ユーザがプロジェクタを片付けようとして投写方向調整部の突出を元に戻し、接続部材を離脱させた状況であると想定できる。また、投写方向調整部が突出していること、及び接続部材が接続されていることの少なくとも一方が検知された場合とは、プロジェクタがすぐに片付けられることはなく、引き続き他のユーザによって利用され得る状況であると想定できる。つまり、プロジェクタをすぐに片付けようとする場合には、クールダウン時間が短いため、作業（片付け）を短時間で終わらせることが可能になる一方、プロジェクタを引き続き利用する場合には、クールダウン時間が長くなるためプロジェクタを十分に冷却することが可能になる。このため、プロジェクタが利用後間もない状態であること（高温であること）を知らないユーザがプロジェクタに触れてしまった場合でも、ユーザに与える不快感を低減することが可能となる。
【００１３】
［適用例４］本適用例に係るプロジェクタの制御方法は、外部の画像供給装置から接続部材を介して画像信号が入力される画像信号入力部と、光源から射出された光を前記画像信号に応じて変調して画像を形成し、当該画像を投写する画像投写部と、前記画像投写部を含む装置本体が収容される筐体と、前記光源が点灯しているときに前記筐体の内部を冷却する冷却部と、を備えたプロジェクタの制御方法であって、前記光源の消灯を指示するオフ操作を受け付けるオフ操作ステップと、前記オフ操作ステップの後で、前記光源を消灯させる光源消灯ステップと、前記オフ操作ステップの後で、前記画像信号入力部に前記接続部材が接続されているか否かを検知する接続検知ステップと、前記光源消灯ステップの後で、前記冷却部による冷却を暫時継続するクールダウンステップと、を備え、前記クールダウンステップでは、前記接続検知ステップでの検知結果に基づき、前記画像信号入力部に前記接続部材が接続されている場合には、前記接続部材が接続されていない場合に比べて前記光源が消灯した後の冷却時間を長くすることを特徴とする。
【００１４】
このプロジェクタの制御方法によれば、オフ操作ステップにおいてオフ操作を受け付けた後、接続検知ステップにおいて画像信号入力部に接続部材が接続されているか否かを検知する。そして、クールダウンステップでは、接続検知ステップでの検知結果に基づき、接続部材が接続されている場合には、接続されていない場合に比べて光源が消灯した後の冷却時間（クールダウン時間）を長くする。ここで、オフ操作時に接続部材が接続されていない場合とは、ユーザがプロジェクタを片付けようとして接続部材を離脱させた状況であると想定できる。また、接続部材が接続されている場合とは、プロジェクタがすぐに片付けられることはなく、引き続き他のユーザによって利用され得る状況であると想定できる。つまり、プロジェクタをすぐに片付けようとする場合には、クールダウン時間が短いため、作業（片付け）を短時間で終わらせることが可能になる一方、プロジェクタを引き続き利用する場合には、クールダウン時間が長くなるためプロジェクタを十分に冷却することが可能になる。このため、プロジェクタが利用後間もない状態であること（高温であること）を知らないユーザがプロジェクタに触れてしまった場合でも、ユーザに与える不快感を低減することが可能となる。
【００１５】
［適用例５］本適用例に係るプロジェクタの制御方法は、光源から射出された光を画像信号に応じて変調して画像を形成し、当該画像を投写する画像投写部と、前記画像投写部を含む装置本体が収容される筐体と、前記光源が点灯しているときに前記筐体の内部を冷却する冷却部と、前記筐体を傾斜させるべく、前記筐体の底面側に突出可能に備えられた投写方向調整部と、を備えたプロジェクタの制御方法であって、前記光源の消灯を指示するオフ操作を受け付けるオフ操作ステップと、前記オフ操作ステップの後で、前記光源を消灯させる光源消灯ステップと、前記オフ操作ステップの後で、前記投写方向調整部が突出しているか否かを検知する突出検知ステップと、前記光源消灯ステップの後で、前記冷却部による冷却を暫時継続するクールダウンステップと、を備え、前記クールダウンステップでは、前記突出検知ステップでの検知結果に基づき、前記投写方向調整部が突出している場合には、突出していない場合に比べて前記光源が消灯した後の冷却時間を長くすることを特徴とする。
【００１６】
このプロジェクタの制御方法によれば、オフ操作ステップにおいてオフ操作を受け付けた後、突出検知ステップにおいて投写方向調整部が突出しているか否かを検知する。そして、クールダウンステップでは、突出検知ステップでの検知結果に基づき、投写方向調整部が突出している場合には、突出していない場合に比べて光源が消灯した後の冷却時間（クールダウン時間）を長くする。ここで、オフ操作時に投写方向調整部が突出していない場合とは、ユーザがプロジェクタを片付けようとして投写方向調整部の突出を元に戻した状況であると想定できる。また、投写方向調整部が突出している場合とは、プロジェクタがすぐに片付けられることはなく、引き続き他のユーザによって利用され得る状況であると想定できる。つまり、プロジェクタをすぐに片付けようとする場合には、クールダウン時間が短いため、作業（片付け）を短時間で終わらせることが可能になる一方、プロジェクタを引き続き利用する場合には、クールダウン時間が長くなるためプロジェクタを十分に冷却することが可能になる。このため、プロジェクタが利用後間もない状態であること（高温であること）を知らないユーザがプロジェクタに触れてしまった場合でも、ユーザに与える不快感を低減することが可能となる。
【００１７】
［適用例６］本適用例に係るプロジェクタの制御方法は、外部の画像供給装置から接続部材を介して画像信号が入力される画像信号入力部と、光源から射出された光を前記画像信号に応じて変調して画像を形成し、当該画像を投写する画像投写部と、前記画像投写部を含む装置本体が収容される筐体と、前記光源が点灯しているときに前記筐体の内部を冷却する冷却部と、前記筐体を傾斜させるべく、前記筐体の底面側に突出可能に備えられた投写方向調整部と、を備えたプロジェクタの制御方法であって、前記光源の消灯を指示するオフ操作を受け付けるオフ操作ステップと、前記オフ操作ステップの後で、前記光源を消灯させる光源消灯ステップと、前記オフ操作ステップの後で、前記投写方向調整部が突出しているか否かを検知する突出検知ステップと、前記オフ操作ステップの後で、前記画像信号入力部に前記接続部材が接続されているか否かを検知する接続検知ステップと、前記光源消灯ステップの後で、前記冷却部による冷却を暫時継続するクールダウンステップと、を備え、前記クールダウンステップでは、前記突出検知ステップ及び前記接続検知ステップにおいて、前記投写方向調整部が突出していること、及び前記接続部材が接続されていることの少なくとも一方が検知された場合には、双方とも検知されない場合に比べて、前記光源が消灯した後の冷却時間を長くすることを特徴とする。
【００１８】
このプロジェクタの制御方法によれば、オフ操作ステップにおいてオフ操作を受け付けた後、突出検知ステップにおいて投写方向調整部が突出しているか否かを検知し、接続検知ステップにおいて画像信号入力部に接続部材が接続されているか否かを検知する。そして、クールダウンステップでは、投写方向調整部が突出していること、及び接続部材が接続されていることの少なくとも一方が検知された場合には、双方とも検知されない場合に比べて、光源が消灯した後の冷却時間（クールダウン時間）を長くする。ここで、オフ操作時に投写方向調整部が突出しておらず、且つ接続部材が接続されていない場合とは、ユーザがプロジェクタを片付けようとして投写方向調整部の突出を元に戻し、接続部材を離脱させた状況であると想定できる。また、投写方向調整部が突出していること、及び接続部材が接続されていることの少なくとも一方が検知された場合とは、プロジェクタがすぐに片付けられることはなく、引き続き他のユーザによって利用され得る状況であると想定できる。つまり、プロジェクタをすぐに片付けようとする場合には、クールダウン時間が短いため、作業（片付け）を短時間で終わらせることが可能になる一方、プロジェクタを引き続き利用する場合には、クールダウン時間が長くなるためプロジェクタを十分に冷却することが可能になる。このため、プロジェクタが利用後間もない状態であること（高温であること）を知らないユーザがプロジェクタに触れてしまった場合でも、ユーザに与える不快感を低減することが可能となる。
【００１９】
また、上述したプロジェクタ及びその制御方法がプロジェクタに備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
以下、光源から射出された光を、外部の画像供給装置から入力される画像信号に応じて変調して画像を形成し、形成した画像を投写レンズから投写面に投写するプロジェクタについて説明する。
【００２１】
図１及び図２は、本実施形態のプロジェクタを示す斜視図である。ここで、図１は、前面、上面、及び右側面を示す図であり、図２は、背面、底面、及び右側面を示す図である。なお、本明細書では、プロジェクタの外装（筐体）を構成する複数の面のうち、プロジェクタが机上等に載置されて使用されている状態で上方を向く面を「上面」、下方を向く面を「底面」、投写面を向く面（前方を向く面）を「前面」、その反対面（後方を向く面）を「背面」と呼ぶ。また、投写面に向かって左側の面（左方向を向く面）を「左側面」、右側の面（右方向を向く面）を「右側面」と呼ぶ。
【００２２】
図１及び図２に示すように、プロジェクタ１は、装置本体が筐体２に収容された構成を有している。筐体２の前面２ｆには、画像を投写する投写レンズ１３が露出しており、筐体２の上面２ｔには、プロジェクタ１に対して各種指示を行うための入力操作部２２が備えられている。筐体２の背面２ｒには、商用電源が供給される電源端子２８と、外部の画像供給装置１００（図５参照）から画像信号が入力される画像信号入力部２４が設けられている。画像信号入力部２４には、複数の入力端子２４ａが配置されており、各入力端子２４ａには、一端が画像供給装置１００に接続されたケーブル４０の他端が接続される。
【００２３】
プロジェクタ１は、冷却ファン３３（図５参照）を備えており、光源の点灯等に伴って高温となる筐体２の内部を冷却することができる。筐体２の底面２ｂには、外部から空気を吸入するための吸気口３ａが形成されており、冷却ファン３３によって吸気口３ａから吸入された空気は、筐体２の内部を冷却した後、筐体２の右側面２ｓに形成された排気口３ｂから排出される。
【００２４】
また、筐体２の底面２ｂには、前方の略中央に前方脚部４が備えられ、後方の左右両側に後方脚部５ａ，５ｂが備えられている。前方脚部４及び後方脚部５ａ，５ｂは、プロジェクタ１を机上等に載置（設置）した際に、設置面と当接して装置本体を支持する。ここで、前方脚部４は、投写方向調整部に相当するものであり、筐体２の内部から底面２ｂ側に突出可能になっている。前方脚部４を突出させた状態でプロジェクタ１を設置すると、筐体２は、前方が持ち上がって傾斜した姿勢となり、投写レンズ１３からの画像は、より上方に投写される。前方脚部４の突出量は、ユーザによって調整可能になっており、筐体２の前面２ｆに形成された凹部２ｃには、前方脚部４の突出量を調整する際に操作されるフットレバー６が露出している。ユーザは、フットレバー６を操作して前方脚部４の突出量を調整することによって、画像の投写方向を上下に調整することができる。
【００２５】
図３及び図４（ａ）、（ｂ）は、前方脚部４の周辺構造を側方から見た部分断面図であり、図３は、前方脚部４の突出量を最小にした状態（これ以降、「前方脚部４を収納した状態」又は「前方脚部４を突出させていない状態」ともいう。）を示す図、図４（ａ）、（ｂ）は、前方脚部４を突出させた状態を示す図である。
【００２６】
図３に示すように、前方脚部４は、柱状の脚部本体４ａと、脚部本体４ａの一端（下端）に設けられて設置面と当接する下端部４ｂと、脚部本体４ａの他端（上端）に設けられた上端部４ｃとを有して構成され、これらは一体的に結合されている。脚部本体４ａは、筐体２の底面２ｂに形成された孔部２ｈに摺動可能に挿通されており、筐体２の底面２ｂに対して略垂直な姿勢で備えられている。脚部本体４ａには、筐体２の前面２ｆを臨む面に、鋸歯状の係合部４ｄが形成されている。係合部４ｄには、左右方向に沿って形成された多数の溝が、上下方向に略等間隔で配列されている。また、下端部４ｂ及び上端部４ｃは、脚部本体４ａよりも幅広になっており、孔部２ｈを挿通不能になっている。このため、前方脚部４は、孔部２ｈを囲う側壁２ｗの下端、即ち底面２ｂに下端部４ｂが当接する位置（図３参照）と、側壁２ｗの上端に上端部４ｃが当接する位置（図４（ｂ）参照）との間を摺動できるようになっている。
【００２７】
フットレバー６は、前方脚部４の係合部４ｄ側（前側）に配置された略Ｌ字状の部材であり、前方脚部４の近傍から前方に向かって延出する操作部６ａと、前方脚部４に沿って下方向に延出する係止部６ｂとを有している。また、操作部６ａと係止部６ｂとが交わる位置には、左方向及び右方向に突出する軸６ｃが形成されている。
【００２８】
軸６ｃは、筐体２によって軸支されており（図示せず）、フットレバー６は、軸６ｃを中心にして回動可能になっている。係止部６ｂには、前方脚部４に対向する面の下部に、鋸歯状の係合部６ｄが形成されている。係合部６ｄには、左右方向に沿って形成された複数の溝が、上下方向に略等間隔で配列されており、前方脚部４の係合部４ｄと噛合（係合）可能になっている。係止部６ｂは、コイルバネ７によって前方脚部４側に付勢されており、操作部６ａを操作していない状態（開放した状態）では、フットレバー６の係合部６ｄは、前方脚部４の係合部４ｄと噛合して前方脚部４の摺動を規制する（図３及び図４（ｂ）参照）。ここで、ユーザが操作部６ａの先端を持ち上げる操作を行うと、フットレバー６は、コイルバネ７を圧縮させる方向に回動する。この結果、係合部６ｄの噛合は解除され、前方脚部４は摺動可能な状態となる（図４（ａ）参照）。この状態でユーザが前方脚部４を所望の突出量だけ突出させ、その後に操作部６ａを開放すると、係合部６ｄは、再びコイルバネ７の付勢によって脚部本体４ａの係合部４ｄと噛合し、前方脚部４の摺動を規制する状態に戻る。
【００２９】
筐体２の内部において、前方脚部４の上方には、回路基板８の下面に搭載された押圧スイッチ９が配置されている。押圧スイッチ９は、上向きに押圧が可能なボタン９ａを備えており、ボタン９ａは、押圧スイッチ９の内部に備わる図示しないバネによって常に下方に付勢されている。図３に示すように、前方脚部４を収納した状態、即ち前方脚部４の下端部４ｂを筐体２の底面２ｂに当接させて前方脚部４の突出量を最小とした状態のときには、押圧スイッチ９のボタン９ａは、前方脚部４の上端部４ｃによって上向きに押圧されるようになっており、このとき、押圧スイッチ９はオンの状態となる。また、図４（ａ）、（ｂ）に示すように、前方脚部４を突出させて脚部本体４ａを底面２ｂから露出させた状態にすると、ボタン９ａは、バネの付勢によって下方に突出し、このときの押圧スイッチ９はオフの状態となる。このため、プロジェクタ１は、押圧スイッチ９の状態（オン又はオフ）によって前方脚部４が収納された状態であるか突出した状態であるかを認識することができる。
【００３０】
図５は、プロジェクタ１の装置本体の回路構成を示すブロック図である。
図５に示すように、プロジェクタ１の装置本体は、画像投写部１０、制御部２０、記憶部２１、入力操作部２２、突出検知部２３、画像信号入力部２４、入力選択部２５、画像処理部２６、接続検知部２７、電源端子２８、電源回路２９、光源制御部３０、温度検出部３１、ファン制御部３２、冷却ファン３３等を備えて構成されている。
【００３１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００３２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像が色光毎に形成される。形成された各色の画像は、図示しない色合成光学系によって画素毎に合成されてカラー画像となった後、投写レンズ１３から拡大投写される。
【００３４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行う計時部としてのタイマ２０ａが備えられている。
【００３５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３６】
入力操作部２２は、ユーザからの入力操作を受け付けるものであり、ユーザがプロジェクタ１に対して各種指示を行うための複数の操作キーを備えている。入力操作部２２が備える操作キーとしては、電源のオン・オフを切り換えるための「電源キー」、有効な入力端子を切り換えるための「入力切換キー」等がある。ユーザが入力操作部２２の各種操作キーを操作すると、入力操作部２２は、この入力操作を受け付けて、ユーザの操作内容に応じた操作信号を制御部２０に出力する。なお、入力操作部２２として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部２０に伝達する。
【００３７】
突出検知部２３は、上述した押圧スイッチ９等で構成され、押圧スイッチ９のオン・オフによって前方脚部４が突出しているか否か、即ち前方脚部４が突出した状態であるか収納された状態であるかを検知し、その検知結果を示す検知信号を制御部２０に出力する。なお、前方脚部４の突出を検知するための手段は、押圧スイッチ９に限定されず、押圧スイッチ９以外の接触型の検知手段を用いてもよいし、光センサや磁気センサ等の非接触型の検知手段を用いることも可能である。
【００３８】
画像信号入力部２４は、上述したように複数の入力端子２４ａを備えており、各入力端子２４ａには、ビデオ再生装置やパーソナルコンピュータ等、外部の画像供給装置１００から出力される画像信号が、接続部材としてのケーブル４０を介して入力される。入力端子２４ａは、ケーブル４０の両端に取り付けられているコネクタ（ケーブル側コネクタ）４１との接続（嵌合）が可能な装置側コネクタであり、ケーブル側コネクタ４１の一方が画像供給装置１００の出力端子に接続され、他方が入力端子２４ａに接続されることにより、画像供給装置１００からの画像信号が入力可能となる。各入力端子２４ａに入力された画像信号は、入力選択部２５に供給される。
【００３９】
入力選択部２５は、複数の入力端子２４ａのうち、制御部２０の指示に基づく１つの入力端子２４ａを選択し、この入力端子２４ａに入力される画像信号を画像処理部２６に出力する。ユーザが、入力操作部２２に備わる入力切換キーを操作して所望の入力端子２４ａを指定すると、制御部２０は、この入力端子２４ａに入力されている画像信号が画像処理部２６に出力されるよう、入力選択部２５に指示をする。
【００４０】
画像処理部２６は、入力選択部２５から入力される画像信号を、液晶ライトバルブ１２Ｒ，１２Ｇ，１２Ｂの各画素の階調を表す画像情報に変換する。ここで、変換された画像情報は、Ｒ、Ｇ、Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２６は、制御部２０の指示に基づき、変換した画像情報に対して、明るさ、コントラスト、シャープネス、色合い等を調整するための画質調整処理等を行い、処理後の画像情報をライトバルブ駆動部１４に出力する。
【００４１】
ライトバルブ駆動部１４が、画像処理部２６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４２】
接続検知部２７は、画像信号入力部２４の各入力端子２４ａにケーブル４０（ケーブル側コネクタ４１）が接続されているか否かを検知して、検知結果を表す検知信号を制御部２０に出力する。ケーブル４０の接続を検知する方法としては、例えば、特開平５−８２２１４号公報に記載されている方法を用いることができる。具体的には、図６に示すように、ケーブル側コネクタ４１が、センターピン４１ａと環状アース端子４１ｂの２つの接触子を備えたピンプラグであって、入力端子２４ａがこれに対応するピンジャックである場合において、入力端子２４ａの２つの接触子３５，３６のうち、環状アース端子４１ｂに接続される接触子３６を２つ（接触子３６ａ及び接触子３６ｂ）に分離する。そして、一方の接触子３６ａを接地して、他方の接触子３６ｂをプルアップすれば、接触子３６ｂの電位によってケーブル４０が接続されているか否かを検知することができる。この場合には、接触子３６ｂと、これをプルアップするための回路（抵抗３７）とが接続検知部２７として機能する。
【００４３】
また、ケーブル４０の接続時にケーブル側コネクタ４１に押されてオンとオフとが切り換わるスイッチを入力端子２４ａの近傍に備え、当該スイッチがオンかオフかによってケーブル４０の接続を検知する方法を用いることもできる（例えば、特開２００４−２８２３９５号公報、及び特開２００６−８０８１６号公報参照）。また、ケーブル側コネクタ４１に、互いに短絡された複数の接触子が備わる場合には、これらに対応する入力端子２４ａ側の接触子で短絡が生じているか否かを識別することによっても、ケーブル４０が接続されているか否かを検知することができる。
【００４４】
図５に戻って、電源回路２９には、ＡＣ１００Ｖ等の商用電源が電源端子２８を介して外部から供給される。電源回路２９は、商用電源（交流電源）を所定の電圧の直流電源に変換して、プロジェクタ１の各部に電力を供給する。また、電源回路２９は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り換えることができる。
【００４５】
光源制御部３０は、制御部２０の指示に基づいて、光源１１に対する電力の供給と停止とを制御し、光源１１の点灯及び消灯を切り換える。
【００４６】
温度検出部３１は、１つ又は複数の温度センサ等で構成され、筐体２の内部の温度を検出し、検出結果をファン制御部３２に出力する。温度センサは、光源１１、液晶ライトバルブ１２Ｒ，１２Ｇ，１２Ｂ、電源回路２９等のように、熱を発する部位や熱によるダメージを受けやすい部位に配置される。また、筐体２の内部の温度を直接検出する代わりに、排気口３ｂから排出される空気の温度を検出すること等により、筐体２の内部の温度を間接的に検出するようにしてもよい。
【００４７】
ファン制御部３２は、冷却制御部に相当するものであり、冷却ファン３３による冷却を制御する。具体的には、ファン制御部３２は、制御部２０の指示に基づいて冷却ファン３３の回転の始動、及びその停止を制御するとともに、温度検出部３１の検出結果に基づいて冷却ファン３３の回転数を制御する。
【００４８】
冷却ファン３３は、冷却部に相当するものであり、例えば、軸流ファンやシロッコファン等によって構成される。冷却ファン３３は、ファン制御部３２の制御に基づいて回転することにより、吸気口３ａから外部の空気を吸入して筐体２の内部を冷却し、冷却後の空気を排気口３ｂから排出する。なお、冷却ファン３３は、複数のファンによって構成されてもよく、例えば、吸気口３ａの近傍に配置されるファン（吸気ファン）と、排気口３ｂの近傍に配置されるファン（排気ファン）とを含んで構成されてもよい。
【００４９】
次に、プロジェクタ１の動作について説明する。
【００５０】
電源端子２８に電源ケーブル（図示せず）が接続され、電源回路２９に商用電源が供給されると、電源回路２９は、少なくとも制御部２０、記憶部２１、及び入力操作部２２に電力（スタンバイ電力）の供給を行い、制御部２０は、この電力供給を受けて、制御プログラムに従った動作を開始する。商用電源が供給された直後には、プロジェクタ１は、スタンバイ状態（「電源オフの状態」ともいう。）であり、光源１１を消灯させた状態を維持している。そして、入力操作部２２に備わる電源キーがユーザにより操作されると、制御部２０は、電源回路２９に指示をして、各部への動作電力の供給を開始させ、プロジェクタ１を電源オンの状態に移行させる。
【００５１】
プロジェクタ１が電源オンの状態に移行すると、制御部２０は、ファン制御部３２に指示をして冷却ファン３３を始動させるとともに、光源制御部３０に指示をして光源１１を点灯させる。また、ユーザがケーブル４０を画像供給装置１００とプロジェクタ１（入力端子２４ａ）の双方に接続し、画像供給装置１００に対して所定の操作を行うと、入力端子２４ａに画像信号が入力される。この結果、入力端子２４ａに入力される画像信号に基づく画像が画像投写部１０から投写される。ユーザは、必要に応じて前方脚部４の突出量を調整し、投写される画像の投写方向を上下に調整することができる。
【００５２】
電源オンの状態では、ファン制御部３２は、温度検出部３１の検出結果に基づいた回転数で冷却ファン３３を回転させ、筐体２の内部の冷却を制御する。具体的には、ファン制御部３２は、筐体２の内部温度が高温であるほど、冷却ファン３３を高速で回転させて温度上昇を抑制し、内部温度が低い場合には、ファンの回転に伴う騒音と電力消費とを抑制すべく冷却ファン３３の回転数を低速にする。そして、電源オンの状態でユーザにより再度電源キーが操作されると、ファン制御部３２は、冷却ファン３３による冷却を暫時継続させる処理（クールダウン）を行い、このクールダウンが完了した後に、制御部２０は、プロジェクタ１をスタンバイ状態に移行させる。なお、本明細書では、スタンバイ状態でなされる電源キーの操作、即ち電源オンの状態に移行させて光源１１を点灯させるためになされる電源キーの操作を「オン操作」と呼ぶ。また、電源オンの状態でなされる電源キーの操作、即ち光源１１を消灯させてスタンバイ状態に移行させるためになされる電源キーの操作を「オフ操作」と呼ぶ。
【００５３】
図７は、オフ操作がなされた際のプロジェクタ１の動作を説明するフローチャートである。電源オンの状態でユーザによりオフ操作がなされ、入力操作部２２がこの操作を受け付けると、制御部２０は、図７に示すフローに従って動作する。
【００５４】
図７に示すように、ステップＳ１０１では、制御部２０は、光源制御部３０に指示をして、光源１１を消灯させる。この結果、画像投写部１０からの画像の投写が停止する。
【００５５】
続くステップＳ１０２では、制御部２０は、ファン制御部３２にクールダウンの開始を指示し、ステップＳ１０３では、クールダウンの継続時間を計測すべく、タイマ２０ａによる計時を開始する。ファン制御部３２は、制御部２０からクールダウンの指示を受けると、温度検出部３１の検出結果に拘わらず冷却ファン３３を高速で回転させる。
【００５６】
ステップＳ１０４では、制御部２０は、突出検知部２３から入力される検知信号に基づいて、前方脚部４が突出した状態であるか否かを判断する。そして、前方脚部４が突出した状態である場合にはステップＳ１０７に移行し、前方脚部４が収納された状態である場合にはステップＳ１０５に移行する。
【００５７】
前方脚部４が収納された状態であってステップＳ１０５に移行した場合には、制御部２０は、接続検知部２７から入力される検知信号に基づいて、少なくとも１つの入力端子２４ａにケーブル４０が接続された状態であるか否かを判断する。そして、少なくとも１つの入力端子２４ａにケーブル４０が接続された状態である場合にはステップＳ１０７に移行し、いずれの入力端子２４ａにもケーブル４０が接続されていない状態である場合にはステップＳ１０６に移行する。
【００５８】
前方脚部４が収納され、且ついずれの入力端子２４ａにもケーブル４０が接続されていない状態であってステップＳ１０６に移行した場合には、制御部２０は、タイマ２０ａの計時結果に基づいて、クールダウンを開始してから所定時間Ｔ１（例えば、１５秒）が経過したか否かを判断する。そして所定時間Ｔ１が経過している場合にはステップＳ１０８に移行し、所定時間Ｔ１が経過していない場合にはステップＳ１０４に戻る。
【００５９】
一方、前方脚部４が突出した状態、又はケーブル４０が接続された状態が検知されてステップＳ１０７に移行した場合には、制御部２０は、タイマ２０ａの計時結果に基づき、クールダウンを開始してから、所定時間Ｔ１よりも長い所定時間Ｔ２（例えば、６０秒）が経過したか否かを判断する。そして所定時間Ｔ２が経過している場合にはステップＳ１０８に移行し、所定時間Ｔ２が経過していない場合にはステップＳ１０４に戻る。
【００６０】
クールダウンを開始してから所定時間Ｔ１又は所定時間Ｔ２が経過してステップＳ１０８に移行した場合には、制御部２０は、タイマ２０ａによる計時を停止し、ステップＳ１０９では、ファン制御部３２にクールダウンの終了を指示し、冷却ファン３３の回転を停止させる。そして、ステップＳ１１０では、制御部２０は、電源回路２９に指示をして動作電力の供給を停止させて、プロジェクタ１をスタンバイ状態に移行させ、フローを終了する。
【００６１】
本実施形態のプロジェクタ１は、上記のように動作するため、ユーザは、オフ操作を行う際、前方脚部４を収納するとともに、入力端子２４ａに接続されているケーブル４０を離脱することにより、クールダウンを比較的短時間（所定時間Ｔ１）で終了させて、即座に片付け等を行うことが可能になる。また、オフ操作の後も、前方脚部４を突出させたままにしたり、ケーブル４０を接続したままにしたりすることにより、クールダウンを比較的長時間（所定時間Ｔ２）行ってプロジェクタ１を十分に冷却することも可能となる。
【００６２】
ここで、本フローでは、クールダウンを開始してから所定時間Ｔ１又は所定時間Ｔ２が経過するまでの間、前方脚部４の突出の検知（ステップＳ１０４）やケーブル４０の接続の検知（ステップＳ１０５）を繰り返すようにしている。このため、クールダウンが開始した時点において、前方脚部４が突出した状態、或いはケーブル４０が接続された状態であっても、クールダウン中に前方脚部４の収納とケーブル４０の離脱とを行うことにより、クールダウンの継続時間を所定時間Ｔ２から所定時間Ｔ１に短縮させることが可能になっている。なお、既に所定時間Ｔ１が経過した後で、前方脚部４の収納とケーブル４０の離脱とを行った場合には、これらを行った直後にクールダウンが終了することになる。同様に、クールダウンが開始した時点において、前方脚部４が収納された状態、且つケーブル４０が接続されていない状態であっても、所定時間Ｔ１が経過する前に前方脚部４を突出させたり、ケーブル４０を再接続したりすることにより、クールダウンの継続時間を所定時間Ｔ１から所定時間Ｔ２に延長させることもできる。
【００６３】
以上説明したように、本実施形態のプロジェクタ１によれば、オフ操作がなされた際に、前方脚部４が突出していること、及びケーブル４０が接続されていることの少なくとも一方が検知された場合には、ファン制御部３２は、双方とも検知されない場合に比べて、クールダウンの継続時間を長くする。ここで、オフ操作時に前方脚部４の突出もケーブル４０の接続も検知されない場合とは、ユーザがプロジェクタ１を片付けようとして前方脚部４を収納し、ケーブル４０を離脱させた状況であると想定できる。また、前方脚部４の突出とケーブル４０の接続の少なくとも一方が検知された場合とは、プロジェクタ１がすぐに片付けられることはなく、引き続き他のユーザによって利用され得る状況であると想定できる。つまり、プロジェクタ１をすぐに片付けようとする場合には、クールダウンの継続時間が短いため、作業（片付け）を短時間で終わらせることが可能になる一方、プロジェクタ１を引き続き利用する場合には、クールダウンの継続時間が長くなるためプロジェクタ１を十分に冷却することが可能になる。このため、プロジェクタ１が利用後間もない状態であること（高温であること）を知らないユーザがプロジェクタ１に触れてしまった場合でも、ユーザに与える不快感を低減することが可能となる。
【００６４】
（変形例）
なお、上記実施形態は、以下のように変更してもよい。
【００６５】
上記実施形態では、電源オンの状態で電源キーが操作（オフ操作）された際に、突出検知部２３の検知結果（前方脚部４の突出の有無）と接続検知部２７の検知結果（ケーブル４０の接続の有無）の双方に基づいて、クールダウンの継続時間を定めているが、いずれか一方の検知結果にのみ基づくようにしてもよい。例えば、突出検知部２３の検知結果にのみ基づいて、前方脚部４が収納されている場合には、クールダウンを短時間（所定時間Ｔ１）とし、前方脚部４が突出している場合には、クールダウンを長時間（所定時間Ｔ２）行うようにしてもよい。この場合には、プロジェクタ１に接続検知部２７を備える必要がなくなる。また、接続検知部２７の検知結果にのみ基づいて、ケーブル４０が離脱している場合には、クールダウンを短時間（所定時間Ｔ１）とし、ケーブル４０が接続されている場合には、クールダウンを長時間（所定時間Ｔ２）行うようにしてもよい。この場合には、プロジェクタ１に突出検知部２３を備える必要がなくなる。
【００６６】
上記実施形態では、クールダウンを予め定められた時間（所定時間Ｔ１又は所定時間Ｔ２）だけ継続するようにしているが、クールダウン中にも温度検出部３１による温度の検出を行って、その検出結果（検出温度）が所定の温度に低下するまでクールダウンを継続するようにしてもよい。具体的には、ステップＳ１０６において、クールダウンを開始してから所定時間Ｔ１が経過したか否かを判断する代わりに、検出温度が第１の設定温度を下回ったか否かを判断し、下回った場合にクールダウンを終了させる。また、ステップＳ１０７において、クールダウンを開始してから所定時間Ｔ２が経過したか否かを判断する代わりに、検出温度が第２の設定温度を下回ったか否かを判断し、下回った場合にクールダウンを終了させる。ここで、第１の設定温度に比べて第２の設定温度を低く設定しておけば、前方脚部４が収納されてケーブル４０が接続されていない場合に比べて、前方脚部４が突出していたり、ケーブル４０が接続されていたりする場合のほうが、クールダウンンの継続時間が長くなり、上記実施形態と同様の効果を得ることが可能となる。
【００６７】
上記実施形態では、画像供給装置１００からケーブル４０を介して画像信号が入力される態様を示しているが、画像供給装置１００とプロジェクタ１を接続する態様はこれに限定されない。例えば、画像情報を記憶可能な記憶装置と、入力端子２４ａに接続するためのコネクタとを一体的に備えた記憶媒体（例えば、ＵＳＢ（Universal Serial Bus）メモリ）を画像供給装置１００とすることも可能であり、この場合には、上記コネクタが接続部材に相当する。
【００６８】
上記実施形態では、筐体２を傾斜させるための投写方向調整部として、筐体２の底面２ｂから突出可能な脚部（前方脚部４）を用いているが、筐体２を傾斜させるための手段は脚部に限定されない。例えば、図８（ａ）、（ｂ）及び図９（ａ）、（ｂ）に示すように、筐体２の前面２ｆの近傍に、持ち運びをするためのハンドル（取っ手）５１や、投写レンズ１３等を保護するためのカバー部材５２を回動可能に配設し、これら回動させて筐体２の底面２ｂ側に突出させる態様にすることも可能である。この場合、突出検知部２３は、ハンドル５１やカバー部材５２が底面２ｂ側に位置しているか否かを検知すればよい。
【００６９】
上記実施形態では、冷却ファン３３によって外部の空気を吸入して筐体２の内部を冷却する態様を示したが、筐体２の内部を冷却する態様はこれに限定されず、例えば、筐体２の内部に液体等の流路を設け、この液体をポンプ等によって循環させて冷却する態様であってもよい。
【００７０】
上記実施形態では、光変調装置として３つの液晶ライトバルブ１２Ｒ，１２Ｇ，１２Ｂを用いた３板式のプロジェクタ１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００７１】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７２】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【図面の簡単な説明】
【００７３】
【図１】プロジェクタを示す斜視図であり、前面、上面、及び右側面を示す図。
【図２】プロジェクタを示す斜視図であり、背面、底面、及び右側面を示す図。
【図３】前方脚部の周辺構造を側方から見た部分断面図であり、前方脚部を収納した状態を示す図。
【図４】（ａ）、（ｂ）は、前方脚部の周辺構造を側方から見た部分断面図であり、前方脚部を突出させた状態を示す図。
【図５】プロジェクタの装置本体の回路構成を示すブロック図。
【図６】接続検知部の具体例を説明するための説明図。
【図７】オフ操作がなされた際のプロジェクタの動作を説明するフローチャート。
【図８】（ａ）、（ｂ）は、変形例に係るプロジェクタを示す斜視図。
【図９】（ａ）、（ｂ）は、変形例に係るプロジェクタを示す斜視図。
【符号の説明】
【００７４】
１…プロジェクタ、２…筐体、２ｂ…底面、３ａ…吸気口、３ｂ…排気口、４…前方脚部、５ａ，５ｂ…後方脚部、６…フットレバー、９…押圧スイッチ、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…入力操作部、２３…突出検知部、２４…画像信号入力部、２４ａ…入力端子、２５…入力選択部、２６…画像処理部、２７…接続検知部、２８…電源端子、２９…電源回路、３０…光源制御部、３１…温度検出部、３２…ファン制御部、３３…冷却ファン、３５，３６ａ，３６ｂ…接触子、３７…抵抗、４０…ケーブル、４１…ケーブル側コネクタ、４１ａ…センターピン、４１ｂ…環状アース端子、１００…画像供給装置、Ｓ…投写面。
【図１】
2009282425.tif 000003
【図２】
2009282425.tif 000004
【図３】
2009282425.tif 000005
【図４】
2009282425.tif 000006
【図５】
2009282425.tif 000007
【図６】
2009282425.tif 000008
【図７】
2009282425.tif 000009
【図８】
2009282425.tif 000010
【図９】
2009282425.tif 000011